(57)【特許請求の範囲】
【請求項１】
燃焼を行うバーナ部と、固定タンク内の燃料量が所定量以下であることを検知する油面検知手段と、第１の色と第２の色を表示するカラー表示器とを備えた燃焼機器に於いて、運転開始からの時間をカウントして所定時間経過すると自動消火させる消し忘れタイマー手段と、前記油面検知手段が固定タンク内の残り燃料量が所定量以下になったことを検知すると、固定タンク内の燃料を送油管及び送油ノズルを介してバーナ部へ圧送する電磁ポンプの駆動パルス数をカウント開始し、このカウントしたパルス数が所定値以上になると自動消火させる燃料切れ消火手段とを備え、前記カラー表示器は、運転中または燃焼中では第１の色を点灯し、前記消し忘れタイマー手段が所定時間前の第１の設定時間に達したら第１の色を遅い点滅周期で点滅させ、第１の設定時間と所定時間の間の時間に設定されている第２の設定時間に達すると第１の色を速い点滅周期で点滅させ、所定時間に達すると消灯すると共に、前記油面検知手段が固定タンク内の残り燃料量が所定量以下になったことを検知した時、第２の色を遅い点滅周期で点滅させ、燃料切れ消火手段がカウントしたパルス数が所定値に達したら第２の色を速い点滅周期で点滅させ、燃料切れ消火手段により自動消火された後は運転スイッチがオフされるまで第２の色を速い点滅周期で点滅させると共に、前記カラー表示器は、消し忘れタイマー手段による第１の色での表示中に燃料切れ消火手段による第２の色による表示が重なった時、第２の色による表示を優先すると共に、第２の色での表示中に消し忘れタイマー手段による消火動作が行われる時、消し忘れタイマー手段による消灯を優先することを特徴とする燃焼機器。
【発明の詳細な説明】
【０００１】
【発明の属する技術分野】
本発明は灯油等の燃料を燃焼させる燃焼機器に関する。
【０００２】
【従来の技術】
従来よりこの種のものに於いては、ファンヒータ等の燃焼機器に於いて、残り燃料が少なくなるとブザーで報知すると共に液晶表示部の給油表示を点灯もしくは点滅させて給油を催促し、その後給油されないままに所定時間が経過するか、または所定量の燃料消費を検知して自動消火させるものがあった。
【０００３】
【発明が解決しようとする課題】
ところが、この従来のものでは、給油催促の表示は液晶表示部の中の一部の領域を用いているだけであるので、残り燃料が少なくなることでブザーが鳴って使用者が燃焼機器に視線を向けても、表示が小さく目立たないので、何でブザーが鳴ったのかがわからず、従ってすぐに給油するなどの適切な対応を行うことができず、また、何等かの原因によりブザーの音が聞こえなかった場合には知らぬ間に自動消火してしまい不便なものであった。
【０００４】
【課題を解決するための手段】
この発明はこの点に着目し上記課題を解決するため、請求項１では特にその構成を、燃焼を行うバーナ部と、固定タンク内の燃料量が所定量以下であることを検知する油面検知手段と、第１の色と第２の色を表示するカラー表示器とを備えた燃焼機器に於いて、運転開始からの時間をカウントして所定時間経過すると自動消火させる消し忘れタイマー手段と、前記油面検知手段が固定タンク内の残り燃料量が所定量以下になったことを検知すると、固定タンク内の燃料を送油管及び送油ノズルを介してバーナ部へ圧送する電磁ポンプの駆動パルス数をカウント開始し、このカウントしたパルス数が所定値以上になると自動消火させる燃料切れ消火手段とを備え、前記カラー表示器は、運転中または燃焼中では第１の色を点灯し、前記消し忘れタイマー手段が所定時間前の第１の設定時間に達したら第１の色を遅い点滅周期で点滅させ、第１の設定時間と所定時間の間の時間に設定されている第２の設定時間に達すると第１の色を速い点滅周期で点滅させ、所定時間に達すると消灯すると共に、前記油面検知手段が固定タンク内の残り燃料量が所定量以下になったことを検知した時、第２の色を遅い点滅周期で点滅させ、燃料切れ消火手段がカウントしたパルス数が所定値に達したら第２の色を速い点滅周期で点滅させ、燃料切れ消火手段により自動消火された後は運転スイッチがオフされるまで第２の色を速い点滅周期で点滅させると共に、前記カラー表示器は、消し忘れタイマー手段による第１の色での表示中に燃料切れ消火手段による第２の色による表示が重なった時、第２の色による表示を優先すると共に、第２の色での表示中に消し忘れタイマー手段による消火動作が行われる時、消し忘れタイマー手段による消灯を優先するものである。
【０００７】
【発明の実施の形態】
請求項１に係る発明によると、カラー表示器４６は、消し忘れタイマー手段３４による緑色ＬＥＤ５１（第１の色）での表示中に燃料切れ消火手段３６による赤色ＬＥＤ５０（第２の色）による表示が重なった時、赤色ＬＥＤ５０（第２の色）による表示を優先すると共に、赤色ＬＥＤ５０（第２の色）での表示中に消し忘れタイマー手段３４による消火動作が行われる時、消し忘れタイマー手段３４による消灯を優先して、一度カラー表示器４６を緑色で点滅表示を開始しても、残り燃料量が少なくなったときはカラー表示器４６を赤色の点滅表示に変えて、消し忘れタイマー手段３４による消火予告よりも残り燃料量が少なくなったことを優先してカラー表示器４６に表示するようにしているので、残り燃料量が少なくなったことを確実に知ることができる。
【００１０】
【実施例】
次に、本発明に係る発明の一実施例を図面に基づいて説明する。
【００１１】
１は温風暖房機本体で、２は前面上部に備えられた操作部、３は温風を案内するルーバ４が取り付けられた温風吹出口、５は背面の温風取入口６にファンガード７を介して取り付けられた対流ファン、８は前記温風取入口６と温風吹出口３とを連通する送風ボックス、９は前記送風ボックス８内にバーナヘッド１０を突出して設けられたバーナ部、１１は前記バーナヘッド１０を囲堯して燃焼空間を形成する燃焼筒、１２は前記送風ボックス８内で前記燃焼筒１１の真上に配設された遮熱板である。
【００１２】
前記機器本体１の外装体は、前面を覆う前パネル１３と、上面を覆う上面板１４と、側面及び背面を覆う背面板１５とを置き台１６の上に固定して構成されている。
【００１３】
次に１７は灯油などの液体燃料を供給するカートリッジ式タンク、１８はこのカートリッジ式タンク１７からの燃料を一時的に溜め置く固定タンク、１９は固定タンク１８内の燃料量が所定量以下になるとオンする油面検知手段を構成するフロートスイッチ、２０は固定タンク１８内の燃料を送油管２１及び送油ノズル２２を介してバーナ部９へ圧送する電磁ポンプ、２３は燃焼用空気を送風管２４を介して送風する燃焼ファンである。
【００１４】
２５は液体燃料を気化する気化器、２６は前記気化器２５を燃料が気化可能な温度まで加熱する気化ヒータ、２７は前記気化器２５の温度を検知する気化温度センサ、２８はバーナヘッド８の外周に設けられた炎孔網、２９は燃焼熱を気化器２５へ回収する熱回収リング、３０は気化ガスにスパーク放電して点火する点火器、３１は炎の状態を監視するフレームロッドである。
【００１５】
３２はこの機器本体１の制御を行う制御装置であって、マイコン（図示せず）を中心に構成されている。３３は前記操作部２に設けられた操作部基盤であり、操作部２に設けられた各種スイッチや表示ランプがこの操作部基盤３３を介して前記制御装置３２に接続されている。
【００１６】
３４は運転開始からの時間をカウントして所定時間（３時間）経過すると自動消火させる消し忘れタイマー手段で、３５は予め設定されたタイマー時刻に機器の運転を開始させ、運転開始から所定時間（１時間）経過すると自動消火させるおはようタイマー手段で、３６は残り燃料量が所定量以下になると前記電磁ポンプ２０の駆動パルス数をカウント開始し、このカウントしたパルス数が所定値以上になると自動消火させる燃料切れ消火手段である。尚、この燃料切れ消火手段３６は、残り燃料量が所定量以下になってから一定時間の経過で自動消火させるものや、残り燃料量が前記の所定量より少ない第２の所定量以下になったことをを第２のフロートスイッチにより検知して自動消火させるものでもよい。
【００１７】
前記操作部２には機器の運転／停止を指示する運転スイッチ３７と、前記消し忘れタイマー手段３４のカウント時間をリセットして再度所定時間（３時間）のカウントを開始させる延長スイッチ３８と、前記おはようタイマー手段３５を動作させるタイマースイッチ３９と、運転スイッチ３７に近接して設けられた運転ランプ４０と、タイマースイッチ３９に近接して設けられたタイマーランプ４１と、室温や時刻を表示する数字表示部４２と、給油という文字を表示する給油文字表示部４３と、各スイッチの操作時や何等かの警告時に音を発するブザー４４とが設けられており、前記数字表示部４２と給油文字表示部４３は液晶表示器４５に設けられているものである。
【００１８】
４６は操作部２と温風吹出口３との間の中央部に設けられたカラー表示器で、運転中は視覚的に後退作用のある後退色の緑色に点灯し、且つ消し忘れタイマー手段３４やおはようタイマー手段３５による自動消火の一定時間前より緑色で点滅することにより消火を予告し、また残り燃料量が所定量以下となり燃料切れ消火手段３６により消火する際には視覚的に進出作用のある進出色である赤色に点灯・点滅することで、より目に付きやすい色にて使用者に給油を促すものである。
【００１９】
このカラー表示器４６は、赤色及び緑色の二色に発光する発光部４７とこの発光部４６の光を周囲に拡散する拡散レンズ４８とにより構成されている。
【００２０】
この発光部４７は、発光部基盤４９に赤色ＬＥＤ５０と緑色ＬＥＤ５１を３個ずつ環状交互に配置してなり、また、この発光部４７は送風ボックス８の上部空間で上面板１４の前縁に取り付けられた前パネル１３の取付金具兼操作部取付板５２の下端から垂下された取付金具５３の穴部５４に発光部基盤４９を取り付けた基盤取付部材５５の爪部５６を引っかけて固定されている。尚、この発光部基盤４９は制御装置３２の基盤（図示せず）にリード線で接続されている。
【００２１】
前記拡散レンズ４８は、前パネル１３の発光部４７に対向する位置に設けられた開口部５７に係止爪５８を引っかけて取り付けられており、さらに取付状態で機器の正面、両側面、上面より確認可能となるよう大きく突出するように、その正面側を周縁から中心部に向かって滑らかに盛り上がっていく略半球形状とし、また、背面は周縁より一まわり小さい範囲内に四角錐状の凹部５９を多数設けプリズムとし、さらにシボ加工により微細な凹凸を設けて、光を正面側に均一に拡散させる拡散面６０としており、背面側で受けた発光部４７の複数のＬＥＤからの分散した光を半球状の正面側に略均一に拡散させ、機器正面からの視認性を向上し且つ上方や側面からの視認性も向上させるものである。
【００２２】
このようにカラー表示器４６を機器本体１側の発光部４７と、前パネル１３側の拡散レンズ４８とに分割してその間を開放状態にして構成しているので、発光部４７での発熱がこもることがなく拡散レンズ４８の耐熱性が低くてすみ、さらに、組立時は発光部４７のリード線を制御装置３２の基板に接続してから前パネル１３を取り付けて、その後に拡散レンズ４８を前パネル１３に取り付けることができるので、前パネル１３を機器本体１側に近づけた状態で保持してリード線を接続するという不安定な作業がなくなり、組立容易で生産性が向上すると共に、逆手順にて分解性も向上させることができ、従って整備性も向上する。
【００２３】
次に、本実施例の作動について図８、図９のフローチャートに基づいて説明する。
【００２４】
先ず、運転スイッチ３７が押されると（ステップ１、以下Ｓ１と略す）、オン操作の確認音「ピッ」をブザー４４から発し（Ｓ２）、運転スイッチ３７近傍に設けられた運転ランプ４０を遅い点滅周期（０．５秒オン／０．５秒オフ）で点滅開始し（Ｓ３）、気化ヒータ２６に通電開始して気化器２５の予熱を開始し（Ｓ４）、確認音により操作が受け付けられたことと運転ランプ４０の点滅状態により気化器２５が予熱状態に入ったことがわかる。
【００２５】
次に、気化温度センサ２７が点火可能な温度を検知して予熱が完了すると（Ｓ５）、カラー表示器４６の緑色ＬＥＤ５１を点灯し（Ｓ６）、運転ランプ４０を点滅から点灯に変化させて（Ｓ７）、燃焼ファン２３、電磁ポンプ２０、点火器３０、対流ファン５を駆動して点火動作を行う（Ｓ８）。このように、カラー表示器４６を緑や青などの後退色で点灯することで視覚的にうるさくすることなく燃焼を行っていることを表示する。
【００２６】
運転が開始されると前記消し忘れタイマー手段３４を作動させて運転時間のカウントを開始し（Ｓ９）、次にフロートスイッチ１９がオンしたかをチェックする（Ｓ１０）。
【００２７】
前記Ｓ１０で燃料量がフロートスイッチ１９がオンするレベルまで減っていないと、消し忘れタイマー手段３４のカウント時間が消火時間の１５分前に達しているかをチェックし（Ｓ１１）、消火時間の１５分前であったら、ブザー４４から「ピー・ピー・ピー」という報知音を発生させ（Ｓ１２）、カラー表示器４６の緑色ＬＥＤ５１を遅い点滅周期（２秒オン／１秒オフ）で点滅させ（Ｓ１３）、室温を表示していた数字表示部４２のセグメントに「ＯＦＦ」の文字を点滅表示（０．５秒オン／０．５秒オフ）して（Ｓ１４）、ブザー４４による音とカラー表示器４６による光と数字表示部４２による文字表示により自動消火が近いことを使用者に確実に知らせる。
【００２８】
そして、消し忘れタイマー手段３４のカウント時間が消火時間の１０分前に達したら（Ｓ１５）、再びブザー４４から「ピー・ピー・ピー」という報知音を発生させ（Ｓ１６）、自動消火が近いことを使用者に知らせる。
【００２９】
さらに、消し忘れタイマー手段３４のカウント時間が消火時間の３分前に達したら（Ｓ１７）、再びブザー４４から「ピー・ピー・ピー」という報知音を発生させ（Ｓ１８）、そしてカラー表示器４６の緑色ＬＥＤ５１を遅い点滅周期から速い点滅周期（１秒オン／０．５秒オフ）に変更して点滅させ（Ｓ１９）、自動消火までの残り時間が短くなったことを視覚的にわかりやすく使用者に知らせることができる。
【００３０】
そして、消し忘れタイマー手段３４のカウント時間が消火時間をカウントしたら（Ｓ２０）、ブザー４４から「ピー・ピー・ピー」という報知音を発生させて（Ｓ２１）自動消火を行うことを音で報知し、カラー表示器４６の緑色ＬＥＤ５１及び運転ランプ４０を消灯させ（Ｓ２２、Ｓ２３）、数字表示部４２の「ＯＦＦ」文字表示を点滅状態から点灯状態へと変化させ（Ｓ２４）、そして燃焼ファン２３、電磁ポンプ２０、対流ファン５を駆動停止して消火動作を行う（Ｓ２５）。
【００３１】
消火動作を行った後に、運転スイッチ３７がオフされると（Ｓ２６）、オフ操作の確認音「ピピッ」をブザー４４から発生させ（Ｓ２７）、数字表示部４２の「ＯＦＦ」文字表示を消灯させ、時計表示にする（Ｓ２８）。このように「ＯＦＦ」文字表示は運転スイッチ３７がオフされるまで継続するので、機器の運転が消し忘れタイマー手段３４により消火されたことを消火後にも知ることができる。
【００３２】
次に、前記Ｓ１０で固定タンク１８内の残り燃料量が所定量以下でフロートスイッチ１９がオンした場合について説明すると、ブザー４４から「ピピピッ」という報知音を３回連続で発生させ（Ｓ２９）、カラー表示器４６の緑色ＬＥＤ５１を消灯し（Ｓ３０）、同時にカラー表示器４６の赤色ＬＥＤ５０を遅い点滅周期（２秒オン／１秒オフ）で点滅開始し（Ｓ３１）、さらに給油文字表示部４３の「給油」という文字を点滅表示（１秒オン／０．５秒オフ）開始する（Ｓ３２）。
【００３３】
このように、カラー表示器４６の表示を通常運転中の後退色である緑色から進出色である赤色に変えることで、残り燃料量が少なくなったことを視覚的により積極的且つわかりやすく表示し、さらにブザー４４による音とカラー表示器４６による光と給油文字表示部４３による「給油」という文字の表示により燃料切れによる自動消火が近いことを使用者に確実に知らせて給油を促す。
【００３４】
次に、電磁ポンプ２０の駆動パルス数をカウント開始し（Ｓ３３）、このカウントしたパルス数が所定値以上かどうかを判定する（Ｓ３４）。尚このカウントするパルス数の所定値は、固定タンク１８内の燃料が完全に空にならないように設定されており、強燃焼で約２０分、弱燃焼で約４０分の燃焼が継続できる。
【００３５】
ここでカウントしたパルス数が所定値に達した場合には（Ｓ３４でＹｅｓ）、ブザー４４から「ピピピッ」という報知音を３回連続で発生させ（Ｓ３５）、カラー表示器４６の赤色ＬＥＤ５０を遅い周期の点滅から速い周期（１秒オン／０．５秒オフ）の点滅に変えて点滅開始し（Ｓ３６）、さらに運転ランプ４０を点灯状態から速い点滅周期（０．２秒オン／０．２秒オフ）での点滅状態に変えて（Ｓ３７）、燃料切れによる自動消火が行われることを視覚的にわかりやすく使用者に知らせた後に、燃焼ファン２３、電磁ポンプ２０、対流ファン５を駆動停止して消火動作を行う（Ｓ３８）。
【００３６】
この消火動作を行った後も、運転スイッチ３７がオフされるまではカラー表示器４６の赤色ＬＥＤ５０及び運転ランプ４０及び給油文字表示部４３の「給油」という文字の点滅表示を継続するようにしているので、運転終了後もカラー表示器４６の赤色ＬＥＤ５０の速い点滅を継続して、消火時に使用者が機器本体１の近くにいなかった場合にも燃料切れで運転が停止したことを離れた位置からも明確にわかるように表示でき、さらに給油が必要であることを強く訴えることができ、使い勝手のよいものである。
【００３７】
次に、運転スイッチ３７がオフされると（Ｓ３９）、オフ操作の確認音「ピピッ」を発生させ（Ｓ４０）、カラー表示器４６の赤色ＬＥＤ５０及び運転ランプ４０及び給油文字表示部４３を消灯させる（Ｓ４１、Ｓ４２、Ｓ４３）ので、使用者が給油を行う意志がないときは、運転スイッチ３７をオフ操作すれば消灯させることができるので、カラー表示器４６の赤色ＬＥＤ５０の点滅表示が視覚的にうるさく感じ邪魔であるときにも容易に対応できるものである。
【００３８】
このように、運転開始から所定時間の経過による自動消火の予告は前記カラー表示器４６を緑色（緑、青などの後退色）に点滅することで行い、残り燃料量が少なくなったことによる自動消火の予告は前記カラー表示器４６を赤色（赤、黄などの進出色）に点滅することで視覚に強く訴えて注意をより積極的に喚起可能にしたので、カラー表示器４６の発色を確認すれば自動消火の予告の原因が明確にわかり、使用者は延長スイッチ３８を押したり給油を行うなどして適切な対応をすることができ、使い勝手がよい。
【００３９】
また、運転スイッチ３７のオン操作で点灯（点滅）し、オフ操作で消灯して運転中であることを表示する運転ランプ４０と、燃焼中であることを表示しさらに自動消火が行われることを予告するカラー表示器４６とを独立して別体に設けたので、運転スイッチ３７の操作の確認は運転スイッチ３７の近傍に設けた運転ランプ４０にて操作する手元で確認でき、また燃焼中であることと自動消火が行われることの予告はカラー表示器４６にて離れた場所からも容易に確認でき、機器の現在の運転状態をより多く且つわかりやすく表示できるもので、非常に使い勝手がよいものである。
【００４０】
次に、フロートスイッチ１９がオンしてから消火するまでの約２０〜４０分の間に消し忘れタイマー手段３４により自動消火される場合が考えられるが、この時の作動について説明する。
【００４１】
前記Ｓ１０でフロートスイッチ１９がオンすると、ブザー４４から「ピピピッ」という報知音を３回連続で発生させ（Ｓ２９）、それまで点灯していたカラー表示器４６の緑色ＬＥＤ５１を消灯し（Ｓ３０）、同時にカラー表示器４６の赤色ＬＥＤ５０を遅い点滅周期（２秒オン／１秒オフ）で点滅開始し（Ｓ３１）、さらに給油文字表示部４３の「給油」という文字を点滅表示（１秒オン／０．５秒オフ）開始し（Ｓ３２）、そして電磁ポンプ２０の駆動パルス数をカウント開始する（Ｓ３３）。
【００４２】
次にカウントしたパルス数が所定値以上かを判定し、ここでは所定値以下であるので（Ｓ３４でＮｏ）、消し忘れタイマー手段３４のカウントした時間が消火時間の１５分前であるかをチェックする（Ｓ４４）。
【００４３】
この消し忘れタイマー手段３４のカウント時間が消火時間の１５分前であった場合は（Ｓ４４でＹｅｓ）、ブザー４４から「ピー・ピー・ピー」という報知音を発し（Ｓ４５）、カラー表示器４６の表示は変更せず赤色ＬＥＤ５０の遅い点滅を継続した状態で、室温を表示していた数字表示部４２のセグメントに「ＯＦＦ」の文字を点滅表示させて（Ｓ４６）、消し忘れタイマー手段３４による自動消火が近いことを使用者に知らせる。
【００４４】
そして再びＳ３４に戻りパルス数が所定値に達していないのでＳ４４へ進み、Ｓ４４でＮｏであるのでＳ４７へ進み、同じように消し忘れタイマー手段３４のカウント時間が消火時間の１０分前かどうかをチェックする。消火時間の１０分前になると１５分前と同様にカラー表示器４６の表示は変更せず赤色ＬＥＤ５０の遅い点滅を継続した状態でブザー４４から「ピー・ピー・ピー」という報知音を発して（Ｓ４８）消し忘れタイマー手段３４による自動消火が近いことを使用者に知らせる。また消火時間の３分前も同様である。
【００４５】
そして消し忘れタイマー手段３４のカウント時間が消火時間に達すると（Ｓ５０）、ブザー４４から「ピー・ピー・ピー」という報知音を発し（Ｓ５１）、カラー表示器４６の赤色ＬＥＤ５０及び運転ランプ４０を消灯し（Ｓ５２、Ｓ５３）、数字表示部４２の「ＯＦＦ」文字表示を点滅から点灯に変えて（Ｓ５４）、消し忘れタイマー手段３４による自動消火が行われることを報知したら、燃焼ファン２３、電磁ポンプ２０、対流ファン５を駆動停止して消火動作を行う（Ｓ５５）。
【００４６】
消火動作を行った後に、運転スイッチ３７がオフされると（Ｓ５６）、オフ操作の確認音「ピピッ」を発生させ（Ｓ５７）、数字表示部４２の「ＯＦＦ」文字表示及び給油文字表示部４３を消灯させる（Ｓ５８、Ｓ５９）。このように「ＯＦＦ」文字表示及び給油文字表示部４３は運転スイッチ３７がオフされるまで継続するので、機器の運転が消し忘れタイマー手段３４により消火されたこと及び残り燃料量が少なくなっていることを消火後に知ることができる。
【００４７】
尚、消し忘れタイマー手段３４により報知音を発してから、消し忘れタイマー手段３４の消火時間が来る前に（Ｓ４４〜Ｓ５０）、電磁ポンプ２０のパルス数が所定値以上になった場合は、前記Ｓ３４でＹｅｓとなり前記Ｓ３５〜Ｓ４３の動作を行い、カラー表示器４６を赤色で速い点滅周期で点滅させるようにして、燃料切れで運転が停止したことを離れた位置からも明確にわかるように表示する。
【００４８】
また、前記Ｓ１０でフロートスイッチ１９がオンする前に、消し忘れタイマー手段３４により報知音を発してから消し忘れタイマー手段３４の消火時間が来る前に（Ｓ１１〜Ｓ２０）、残り燃料量が減ってフロートスイッチ１９がオンすると（Ｓ１０でＹｅｓ）、前記Ｓ２９へ進み、カラー表示器４６を赤色の遅い点滅周期で点滅させて、燃料切れ（Ｓ３４でＹｅｓ）か、運転開始から３時間経過（Ｓ５０でＹｅｓ）のどちらか早い方の消火制御を行う。
【００４９】
このように、一度カラー表示器４６を緑色で点滅表示を開始しても、残り燃料量が少なくなったときはカラー表示器４６を赤色の点滅表示に変えて、消し忘れタイマー手段３４による消火予告よりも残り燃料量が少なくなったことを優先してカラー表示器４６に表示するようにしているので、残り燃料量が少なくなったことを確実に知ることができる。
【００５０】
また、燃料切れ消火手段３６により消火されたときは、給油を行わなければ再度運転開始してもすぐ消えてしまうので、給油の必要性を確実に報知するため消火後もカラー表示器４６を進出色である赤色で速い点滅を行わせて燃料切れで消火したことを視覚的に積極的に報知し、また、消し忘れタイマー手段３４により消火された時は、運転スイッチ３７を再投入するだけで他の復帰作業を必要とせずに再度運転開始して運転継続できるので、カラー表示器４６は消灯しておくものである。
【００５１】
次に、タイマースイッチ３９がオンされ、おはようタイマー手段３５がセットされた場合について前記の消し忘れタイマー手段３５による自動消火と違う部分について説明すると、図８のＳ１〜Ｓ９までが図１０のＳ６０〜Ｓ７０に入れ替わるもので、先ず、タイマースイッチ３９がオンされると（Ｓ６０）、オン操作の確認音「ピッ」をブザー４４から発し（Ｓ６１）、タイマースイッチ３９の近傍に設けられたタイマーランプ４１を点灯する（Ｓ６２）。
【００５２】
そして、タイマー時刻に達すると（Ｓ６３）、運転ランプ４０を遅い点滅周期（０．５秒オン／０．５秒オフ）で点滅開始し（Ｓ６４）、気化ヒータ２６に通電開始して気化器２５の予熱を開始し（Ｓ６５）、気化温度センサ２７が点火可能な温度を検知して予熱が完了すると（Ｓ６６）、カラー表示器４６の緑色ＬＥＤ５１を点灯し（Ｓ６７）、運転ランプ４０を点滅から点灯に変化させて（Ｓ６８）、燃焼ファン２３、電磁ポンプ２０、点火器３０、対流ファン５を駆動して点火動作を行う（Ｓ６９）。
【００５３】
そして、運転開始から１時間のタイマー（便宜的に消し忘れタイマーと表す）のカウントを開始する。その後は消し忘れタイマーのカウント時間が１時間であることを除いて図８のＳ１０以降と同一であるので説明を省略する。
尚、このおはようタイマー手段３５はタイマースイッチ３９のオフ操作によって解除されるもので、運転スイッチ３７のオフ操作では解除されず、翌日のタイマー時刻が来れば前記Ｓ６３からのステップを繰り返して動作するものである。
【００５４】
【発明の効果】
以上のように、請求項１に係る発明によると、カラー表示器は運転スイッチのオン操作と同時にあるいは燃焼の開始と同時に内部の緑色ＬＥＤを点灯して運転中あるいは燃焼中であることを表示し（第１の色で表示）、前記消し忘れタイマー手段が所定時間前の第１の設定時間に達したら緑色ＬＥＤを点滅周期の遅い点滅に変更し、第１の設定時間と所定時間の間の時間に設定されている第２の設定時間に達すると緑色ＬＥＤを点滅周期の速い点滅に変更して、自動消火までの残り時間が短くなったことを視覚的にわかりやすく使用者に知らせることができるものである。
又、カラー表示器は残り燃料量が所定量以下であると通常運転時の第１の色とは異なる第２の色を表示するので、給油が必要であることをわかりやすく報知でき、さらに燃料切れによる自動消火後も通常運転時の第１の色とは異なる第２の色の表示を継続すれば、自動消火の原因が燃料切れであることを離れた位置からも明確に認識することができ、使い勝手がよいものである。
【００５５】
又、前記油面検知手段を構成するフロートスイッチが固定タンク内の残り燃料量が所定量以下になったことを検知すると、固定タンク内の燃料を送油管及び送油ノズルを介してバーナ部へ圧送する電磁ポンプの駆動パルス数をカウント開始し、このカウントしたパルス数が所定値以上になると自動消火させる燃料切れ消火手段とを備え、前記カラー表示器は、前記油面検知手段が固定タンク内の残り燃料量が所定量以下になったことを検知した時、前記カラー表示器の内部の前記緑色ＬＥＤを消灯して赤色ＬＥＤ（第２の色）を遅い点滅周期で点滅させて、残り燃料量が少なくなったことを視覚的により積極的且つわかりやすく表示し、燃料切れによる自動消火が近いことを使用者に確実に知らせて給油を促すことができ、燃料切れ消火手段がカウントしたパルス数が所定値に達したら赤色ＬＥＤを速い点滅周期で点滅させて、燃料切れによる自動消火が行われることを視覚的にわかりやすく使用者に知らせることができ、燃料切れ消火手段により自動消火された後は運転スイッチがオフされるまで赤色ＬＥＤを速い点滅周期で点滅させて、燃料切れで消火し、給油を行わなければならないことを確実に報知できるものである。
【００５６】
更にカラー表示器は、消し忘れタイマー手段による緑色ＬＥＤ（第１の色）での表示中に燃料切れ消火手段による赤色ＬＥＤ（第２の色）による表示が重なった時、赤色ＬＥＤ（第２の色）による表示を優先すると共に、赤色ＬＥＤ（第２の色）での表示中に消し忘れタイマー手段による消火動作が行われる時、消し忘れタイマー手段による消灯を優先して、一度カラー表示器を緑色で点滅表示を開始しても、残り燃料量が少なくなったときはカラー表示器を赤色の点滅表示に変えて、消し忘れタイマー手段による消火予告よりも残り燃料量が少なくなったことを優先してカラー表示器に表示するようにしているので、残り燃料量が少なくなったことを確実に知ることができる。
【図面の簡単な説明】
【図１】本発明の一実施例の温風暖房機の外観斜視図。
【図２】同本体の断面図。
【図３】同燃焼系の断面図。
【図４】同操作部の正面図。
【図５】同制御系の構成図。
【図６】同表示基盤の取付状態での正面図。
【図７】同拡散レンズの説明図。
【図８】同作動を示すフローチャート。
【図９】同作動を示すフローチャート。
【図１０】同作動を示すフローチャート。
【符号の説明】
９  バーナ部
１８  固定タンク
１９  フロートスイッチ
３６  燃料切れ消火手段
４６  カラー表示器
【図１】
0003934853.tif 000002
【図２】
0003934853.tif 000003
【図３】
0003934853.tif 000004
【図４】
0003934853.tif 000005
【図５】
0003934853.tif 000006
【図６】
0003934853.tif 000007
【図７】
0003934853.tif 000008
【図８】
0003934853.tif 000009
【図９】
0003934853.tif 000010
【図１０】
0003934853.tif 000011